(57)【特許請求の範囲】
【請求項１】
通信ネットワークに接続して該通信ネットワークを介したデータ通信を行うための通信手段と、
前記通信手段にて前記通信ネットワークに接続するための通信環境の設定に関する状態を表わす設定データを保持するデータ保持手段と、
前記データ保持手段に保持された設定データ及び電子音楽装置インフォメーションセンターに設けられたサイトに接続するための接続情報を含む設定データファイルを、外部情報処理装置で利用される外部記憶媒体又は外部情報処理装置の記憶媒体に書き出すデータ書出し手段と
を具備することを特徴とする電子音楽装置。
【請求項２】
前記設定データには、さらに、電子音楽装置の動作環境設定時に生じたエラー状態を表わすものが含まれることを特徴とする請求項１に記載の電子音楽装置。
【請求項３】
通信ネットワークに接続して該通信ネットワークを介したデータ通信を行うための通信手段を具備し、電子音楽装置として機能するコンピュータに、
前記通信手段にて前記通信ネットワークに接続するための通信環境の設定に関する状態を表わす設定データを保持するデータ保持ステップと、
前記データ保持ステップで保持された設定データ及び電子音楽装置インフォメーションセンターに設けられたサイトに接続するための接続情報を含む設定データファイルを、外部情報処理装置で利用される外部記憶媒体又は外部情報処理装置の記憶媒体に書き出すデータ書出しステップと
から成る手順を実行させる設定データ処理プログラム。
【発明の詳細な説明】
【技術分野】
【０００１】
この発明は、装置内部の設定状態情報やエラー状態情報の書出し機能を備えた電子音楽システムに関する。
【背景技術】
【０００２】
電子楽器等の電子音楽装置において、インターネット接続が可能なものがある。インターネット接続のためには、各種の設定が必要であり、例えば、特許文献１には、その設定を容易にした電子音楽装置が開示されている。
【特許文献１】特開２００５−２６６３０２号公報
【０００３】
このような電子音楽装置では、インターネット接続のための設定をしても、何らかの設定ミス等により正しくインターネット接続ができないことがある。この場合、設定を見直したり、設定状態を電子音楽装置メーカーのインフォメーションセンター（サポートセンター）に電話等により連絡し、正しい設定に関する指示を受けたりすることになるが、例えば、２行程度の文字表示が可能なＬＣＤのみを搭載した電子楽器などの表示能力が高くない電子音楽装置では、多数の設定パラメータを一覧表示することができないので、設定を見直すのが困難である。また、電子音楽装置メーカーのインフォメーションセンターへ設定状態を連絡する際にも、同様に困難が伴う。
【発明の開示】
【発明が解決しようとする課題】
【０００４】
この発明は、このような事情に鑑み、表示能力が高くない電子音楽装置内部の設定状態情報やエラー状態情報を簡単に把握することができるようにすると共に、電子音楽装置のインフォメーションセンター（サポートセンター）への通知を簡単に行うことができるようにした電子音楽システムを提供することを目的とする。
【課題を解決するための手段】
【０００５】
この発明の主たる特徴に従うと、通信ネットワーク（ＣＮ）に接続して該通信ネットワーク（ＣＮ）を介したデータ通信を行うための通信手段（１２；Ｂ）と、通信手段（１２；Ｂ）にて通信ネットワーク（ＣＮ）に接続するための通信環境の設定に関する状態を表わす設定データを保持するデータ保持手段（Ｓ１，Ｓ４；Ａ；２，４）と、データ保持手段に保持された設定データ及び電子音楽装置インフォメーションセンター（ＣＴ）に設けられたサイト（ＣＳ）に接続するための接続情報（ｈｒ）を含む設定データファイル（ｓｆ）を、外部情報処理装置（ＰＣ）で利用される外部記憶媒体（ＭＲ）又は外部情報処理装置（ＰＣ）の記憶媒体（外部記憶装置等）に書き出すデータ書出し手段（Ｓ７；Ｃ；５）とを具備する電子音楽装置（コンピュータ）〔請求項１〕が提供され、通信ネットワーク（ＣＮ）に接続して該通信ネットワーク（ＣＮ）を介したデータ通信を行うための通信手段（１２；Ｂ）を具備し、電子音楽装置として機能するコンピュータ（ＥＭ）に、通信手段（１２；Ｂ）にて通信ネットワーク（ＣＮ）に接続するための通信環境の設定に関する状態を表わす設定データを保持するデータ保持ステップ（Ｓ１，Ｓ４；Ａ）と、データ保持ステップで保持された設定データ及び電子音楽装置インフォメーションセンター（ＣＴ）に設けられたサイト（ＣＳ）に接続するための接続情報（ｈｒ）を含む設定データファイル（ｓｆ）を、外部情報処理装置（ＰＣ）で利用される外部記憶媒体（ＭＲ）又は外部情報処理装置（ＰＣ）の記憶媒体（外部記憶装置等）に書き出すデータ書出しステップ（Ｓ７；Ｃ）とから成る手順を実行させる設定データ処理プログラム〔請求項３〕が提供される。なお、括弧書きは、理解の便のために付記した実施例の参照記号、用語等を表わし、以下においても同様である。
【０００６】
この発明による電子音楽装置において、設定データには、さらに、電子音楽装置（ＥＭ）の動作環境設定時に生じたエラー状態を表わすものが含まれる〔請求項２〕ように構成することができる。
【発明の効果】
【０００７】
この発明の主たる特徴による電子音楽システムでは（請求項１，３）、電子音楽装置は、通信ネットワーク（ＣＮ）に接続して該通信ネットワーク（ＣＮ）を介したデータ通信を行い（１２；Ｂ）、通信ネットワーク（ＣＮ）に接続するための通信環境の設定に関する状態を表わす設定状態情報を設定データとして記憶手段（２，４）に保持し、必要時に、保持されている設定データ及び電子音楽装置インフォメーションセンター（ＣＴ）に設けられたＷｅｂサイト（ＣＳ）に接続するための接続情報（ｈｒ）を含む設定データファイル（ｓｆ）を作成し、外部情報処理装置（ＰＣ）で利用される記憶媒体（ＭＲ）又はパーソナルコンピュータ等の外部情報処理装置（ＰＣ）の記憶媒体（外部記憶装置等）に書き出すように構成されている。
従って、この発明によれば、記憶媒体（ＭＲ又はＰＣ外部記憶装置）に書き出された設定データファイルに含まれる通信環境の設定に関する電子音楽装置内部の設定状態情報を、パーソナルコンピュータ等の表示処理能力が高い情報処理装置で表示させることができる。また、これにより、ユーザは、簡単に設定パラメータを確認したり、インフォメーションセンター（サポートセンター）に連絡することができる。さらに、記憶媒体に書き出された設定データファイルを元にして、簡単且つ容易に、電子音楽装置インフォメーションセンターのＷｅｂサイトにアクセスすることができる。
【０００８】
この発明による電子音楽装置においては、書き出される設定データファイル（ｓｆ）には、さらに、電子音楽装置（ＥＭ）の動作環境設定時に生じたエラー状態を表わすものが含まれるように構成されている（請求項２）。従って、この発明によれば、記憶媒体に書き出された設定データファイルに含まれるエラー状態情報を、パーソナルコンピュータ等の表示処理能力が高い情報処理装置で表示させることができる。
【発明を実施するための最良の形態】
【０００９】
〔電子音楽装置の概要〕
図１は、この発明の一実施例による電子音楽装置のハードウエア構成ブロック図を示す。この電子音楽装置には、音楽情報処理を主機能とする機器が用いられ、この例では、演奏操作部乃至楽音信号発生部を備える電子楽器が用いられる。電子音楽装置ＥＭは、中央処理装置（ＣＰＵ）１、ランダムアクセスメモリ（ＲＡＭ）２、読出専用メモリ（ＲＯＭ）３、第１外部記憶装置４、第２外部記憶装置５、演奏操作検出回路６、設定操作検出回路７、表示回路８、音源回路９、効果回路１０、ＭＩＤＩインターフェース（Ｉ／Ｆ）１１、通信インターフェース（Ｉ／Ｆ）１２等を備え、これらの要素１〜１２はバス１３を介して互いに接続される。
【００１０】
ＣＰＵ１は、ＲＡＭ２及びＲＯＭ３と共にデータ処理回路ＤＰを構成し、任意の制御プログラムに従い、タイマ１４によるクロックを利用して通常の音楽情報処理の外に設定データ処理を含む種々の情報処理を実行する。ＲＡＭ２は、これらの処理に際して必要な各種データを一時記憶するためのワーク領域として用いられる。ＲＯＭ３には、これらの処理を実行するために必要な各種制御プログラムや各種データ等が予め記憶され、制御プログラムには、設定データ処理を実行するための設定データ処理プログラムが含まれる。
【００１１】
第１外部記憶装置４は、ハードディスク（ＨＤ）等の内蔵記憶媒体を備えた内蔵記憶装置であり、制御プログラムを含む任意のデータを記憶することができる。所定の記憶領域には、この電子音楽装置ＥＭ内の設定状態やエラー状態を表わす設定情報やエラー情報を記憶し保持しておくことができ、これらの情報は「設定データ」と呼ばれる。
【００１２】
第２外部記憶装置５は、スマートメディア（登録商標）等の小型メモリカード、ＵＳＢメモリ、コンパクトディスク（ＣＤ）、フレキシブルディスク（ＦＤ）、光磁気（ＭＯ）ディスク、ディジタル多目的ディスク（ＤＶＤ）、等々、種々の可搬性の外部記憶媒体ＭＲを装着可能であり、これらの外部記憶媒体ＭＲを駆動して種々のデータの読出し・書込みを行う外部記憶媒体駆動装置（ＵＳＢメモリの場合はＵＳＢＩ／Ｆ）である。外部記憶媒体ＭＲは、設定データ処理の際に設定データを記録するのに用いられる。
【００１３】
演奏操作検出回路６は、鍵盤などの演奏操作子１５と共に演奏操作部として機能し、演奏操作子１５の演奏操作内容を検出し、これに対応する演奏データをデータ処理回路ＤＰに導入する。設定操作検出回路７は、キースイッチやマウス等の設定操作子１６と共に設定操作部として機能し、設定操作子１６の設定操作内容を検出し、これに対応する設定操作データをデータ処理回路ＤＰに導入する。
【００１４】
表示回路８は、ディスプレイ１７や各種インジケータ（図示せず）と共に表示部として機能し、これら表示要素の表示／点灯内容をＣＰＵ１からの指令に従って制御し、各操作子１５，１６の操作に対する表示援助を行う。なお、表示部（８，１７）の表示能力は高くなく、ディスプレイ１７は、例えば、２行程度の文字表示が可能なＬＣＤ文字表示器で構成される。
【００１５】
音源回路９は、演奏操作検出回路６からの実演奏データに応じた楽音データを発生し、効果付与ＤＳＰを有する効果回路１０は、この楽音データに所定の効果を付与し、実演奏の楽音信号を生成する。また、音源回路９及び効果回路１０は、自動演奏の際に、記憶手段（３〜５）等からの演奏データに従って自動演奏の楽音信号を発生することもできる。効果回路１０に後続するサウンドシステム１８は、Ｄ／Ａ変換部やアンプ、スピーカを備え、効果回路１０からの楽音信号に基づく楽音を発生する。音源回路９、効果回路１０及びサウンドシステム１８は、楽音生成部として機能する。
【００１６】
ＭＩＤＩＩ／Ｆ１１には、この電子音楽装置と同様にＭＩＤＩ音楽情報処理機能を有する外部ＭＩＤＩ機器ＭＤが接続され、ＭＩＤＩＩ／Ｆ１１を通じて電子音楽装置ＥＭ・外部ＭＩＤＩ機器ＭＤ間でＭＩＤＩデータを授受することができる。通信Ｉ／Ｆ１２には、インターネットなどの通信ネットワークＣＮが接続され、正常接続時には、サーバコンピュータ（電子音楽装置用Ｗｅｂサーバ）ＳＶから制御プログラムをダウンロードしたり演奏データを記憶装置４，５に保存してこの電子音楽装置ＥＭで利用することができる。
【００１７】
〔システムの概要〕
この発明の一実施例による電子音楽システムでは、設定データ処理プログラムに従って、電子音楽装置内部の設定状態やエラー状態を記述した電子ファイルを作成することができ、作成された電子ファイルを、パーソナルコンピュータ等の表示処理能力が高い外部の情報処理装置に提供するようにしており、外部情報処理装置を通じて、電子音楽装置を提供したメーカー又は販売者のインフォメーションセンター（サポートセンター）にこれらの状態を通知することができる。図２は、この発明の一実施例による電子音楽システムを説明するための概略機能ブロック図である。
【００１８】
ここで、この電子音楽システムによる機能の概略を説明しておく。このシステムでは、電子音楽装置ＥＭの設定部Ａによって、装置内部の設定状態やエラー状態を表わす設定データが記憶手段（２，４）に保持され、必要時に、設定データ書出し部Ｃを通じて、保持されている設定データを記述した設定データファイルｓｆが外部記憶媒体ＭＲに書き出される。外部記憶媒体ＭＲに書き出された設定データファイルｓｆの設定データが表わす設定状態やエラー状態は、表示処理能力が高いパーソナルコンピュータＰＣで一覧表示させることができる。また、設定データファイルｓｆには、電子音楽装置インフォメーションセンター（サポートセンター）ＣＴのＷｅｂサイトＣＳに接続するための接続情報（ｈｒ：図３）が含まれるようにしているので、設定データファイルｓｆを元にして当該ＷｅｂサイトＣＳに容易にアクセスすることができる。なお、設定データファイルｓｆは、ＵＳＢＩ／Ｆ等を通じて、直接、パーソナルコンピュータＰＣに書き出すようにしてもよい。
【００１９】
以下具体的に説明する。この電子音楽装置ＥＭを取り巻く環境は、図２（１）の概略機能ブロック図に示されるように、電子音楽装置ＥＭ、通信ネットワークＣＮに接続される電子音楽装置用Ｗｅｂサーバ（サーバコンピュータ）ＳＶ、パーソナルコンピュータＰＣ、インフォメーション用ＷｅｂサーバＣＳ及びインフォメーション用メール端末ＭＴから成り、サーバＣＳ及び端末ＭＴは、電子音楽装置ＥＭに関するインフォメーションセンターＣＴを構成する。
【００２０】
電子音楽装置ＥＭは、設定データ処理に関する機能をブロックで表わすと、図示のように、設定部Ａ、電子音楽装置通信部Ｂ及び設定データ書出し部Ｃから成る。
【００２１】
設定部Ａは、設定操作部１６−７、表示部８−１７、第１外部記憶装置４及びデータ処理回路ＤＰの設定制御機能に対応しており、通信ネットワークＣＮを通じたインターネット接続などの通信環境や電子音楽装置ＥＭ内部の演奏環境について、ユーザ操作に基づき、各種パラメータなどの設定を行い、設定された内容や設定時のエラーに関する設定情報やエラー情報などを含む設定データを、第１外部記憶装置４の所定記憶領域に記憶し或いはＲＡＭ２上に保持する。
【００２２】
また、設定部Ａは、必要に応じて、設定された通信環境に従った接続を電子音楽装置通信部Ｂに指令したり、第１外部記憶装置４の所定記憶領域或いはＲＡＭ２上に保持された設定情報やエラー情報などの設定データの書出しを設定データ書出し部Ｃに指令する。
【００２３】
電子音楽装置通信部Ｂは、データ処理回路ＤＰの通信制御機能及び通信Ｉ／Ｆ１２に対応しており、設定部Ａからの指令に従い、通信ネットワークＣＮを介して電子音楽装置用ＷｅｂサーバＳＶと通信する。
【００２４】
設定データ書出し部Ｃは、データ処理回路ＤＰの情報書出し機能及び第２外部記憶装置（外部記憶媒体駆動装置）５に対応し、設定部Ａからの指令に従い、パーソナルコンピュータＰＣに提供すべき必要な設定データが記述された電子ファイルｓｆを作成し、外部記憶装置５に挿着された外部記憶媒体ＭＲに書き出す。この電子ファイルｓｆは「設定データファイル」と呼ばれ、設定データファイルｓｆが書き出される外部記憶媒体ＭＲには、パーソナルコンピュータＰＣ等の情報処理装置で利用可能な記憶メディアが用いられる。
【００２５】
電子音楽装置用ＷｅｂサーバＳＶは、演奏操作部（１５−６）や楽音生成部（９−１０−１８）が除かれる外は、電子音楽装置ＥＭと同様のハードウエア構成を有し、外部記憶装置に電子音楽装置用の各種制御プログラムや演奏データ等のコンテンツを多数蓄積している。電子音楽装置ＥＭは、このサーバＳＶに正常に接続されると、これらコンテンツの提供を受けることができる。
【００２６】
電子音楽装置ＥＭから設定データが提供されるパーソナルコンピュータＰＣは、電子音楽装置ＥＭと同様のハードウエア構成を有するが、表示部（８−１７）は電子音楽装置ＥＭに比べて十分に高い表示能力を備える。なお、パーソナルコンピュータＰＣには、演奏操作部（１５−６）や楽音生成部（９−１０−１８）、ＭＩＤＩＩ／Ｆ（１１）は設けなくてもよく、プリンタが設けられる。
【００２７】
また、パーソナルコンピュータＰＣは、電子音楽装置ＥＭからのデータ提供に関係する機能をブロックで表わすと、図示のように、設定データ読出し部Ｄ、ＷｅｂブラウザＥ、メーラーＦ及びＰＣ（パーソナルコンピュータ）通信部Ｇから成り、ＰＣ通信部Ｇは、パーソナルコンピュータＰＣの通信Ｉ／Ｆに対応する。つまり、パーソナルコンピュータＰＣは、ＰＣ通信部Ｇを介して、通信ネットワークＣＮに接続されるインフォメーションセンターＣＴのサーバコンピュータ（インフォメーション用Ｗｅｂサーバ）ＣＳや通信端末（インフォメーション用メール端末）ＭＴなどの種々の情報通信装置と通信可能である。
【００２８】
設定データ読出し部Ｄは、パーソナルコンピュータＰＣの外部記憶装置（外部記憶媒体駆動装置）、設定操作部、表示部及びデータ処理回路の情報読出し機能に対応しており、上述した外部記憶媒体ＭＲを外部記憶装置に挿着され設定操作部から読出しコマンドが入力されるのに応じて、この記憶媒体ＭＲに書き込まれた設定データファイルｓｆを読み出し、ファイルｓｆの設定データを後述するＷｅｂブラウザ（閲覧部）Ｅによりディスプレイに表示し更にプリンタからプリントアウトすることもできる。
【００２９】
ＷｅｂブラウザＥは、設定操作部、表示部及びデータ処理回路の閲覧機能に対応しており、ＰＣ通信部Ｇを通じて、インフォメーション用ＷｅｂサーバＣＳにアクセスして種々のデータを閲覧することができる。また、前述したように、設定データファイルｓｆの内容を表示させることができる。なお、インフォメーション用ＷｅｂサーバＣＳは、電子音楽装置用ＷｅｂサーバＳＶと同様のハードウエア構成を有する。
【００３０】
また、メーラー（ソフトウエアによるメール生成部）Ｆは、設定操作部、表示部及びデータ処理回路のメール生成機能に対応しており、ユーザ操作に従ってメールを作成し、作成されたメールを、ＰＣ通信部Ｇを通じて、インフォメーション用メール端末ＭＴを含む任意の通信端末装置（他の通信端末は図示せず）に送ることができる。なお、インフォメーション用メール端末ＭＴは、パーソナルコンピュータＰＣと同様のハードウエア構成を有する。
【００３１】
さて、このようなシステムにおいて、電子音楽装置ユーザが電子音楽装置ＥＭ内部の各種設定パラメータ等の設定状態やエラー状態を確認したい場合、ユーザ操作に基づき、設定部Ａを通じて設定データ書出し部Ｃを動作し、確認に必要な設定状態やエラー状態などを表わす設定データを第１外部記憶装置４の所定記憶領域或いはＲＡＭ２から取り出して設定データファイルｓｆを作成し、パーソナルコンピュータＰＣで利用可能なスマートメディアやＵＳＢメモリ等の着脱可能記憶メディア（外部記憶媒体）ＭＲに記録する。そして、この記憶メディアＭＲをパーソナルコンピュータＰＣに挿着することにより、パーソナルコンピュータＰＣの有する高い表示能力を利用して設定データ読出し部Ｄにより記憶メディアＭＲの情報を読み出し、ＷｅｂブラウザＥを使用してディスプレイに一覧表示させる。
【００３２】
設定データファイルｓｆに書き出される設定データには、インターネット接続に関する設定データがある。インターネット接続関連の設定データには、例えば、図２（２）に示されるように、ＬＡＮアダプタの販売者ＩＤ・製品ＩＤ・改訂ＩＤ（01〜03）、ＭＡＣアドレス（04）、現在時刻（05）、ＤＨＣＰの採否（06）、ＤＮＳサーバ（07，08）、ＩＰアドレス（09）、…、通信結果（19）、等々の諸情報が含まれる。なお、ファイルｓｆに書き出される設定データは、インターネット接続関連の設定データに限らず、電子音楽装置ＥＭに関する情報であればどのような種類の情報であってもよい。
【００３３】
〔インフォメーションセンターにアクセスする場合の動作例〕
より具体的な動作例を説明する。例えば、電子音楽装置ＥＭにおいて、ユーザ操作に従い、設定部Ａによりインターネット接続に関する設定を行った後、電子音楽装置用ＷｅｂサーバＳＶとの接続を試行したときに、図２（１）に“×”で示すように、サーバＳＶとの接続が不調に終わり、接続に失敗する場合がある。
【００３４】
このような場合、設定部Ａ及び設定データ書出し部Ｃは、ユーザ操作に従って、図２（２）に示すようなインターネット接続の設定状態を表わす接続設定情報やエラー状態を表わす接続エラー情報などの設定データを記憶手段２，４から取り出し、取り出された設定データの内容を記述した設定データファイルｓｆを作成し、作成された設定データファイルｓｆを外部記憶媒体ＭＲに記録する。
【００３５】
図３は、このような設定データファイルの一例を示す。この例では、設定データファイルｓｆをＨＴＭＬファイルとしており、電子音楽装置ＥＭ内の設定状態やエラー状態を表わす種々の設定データがＨＴＭＬ形式で記述されるだけでなく、ファイルｓｆ中には、「<a href="http://www.aaa.bbb.jp/info/mailform.htm">ここ</a>」で示すように、製品即ち電子音楽装置ＥＭのインフォメーションセンターＣＴのＷｅｂサイト（インフォメーション用Ｗｅｂサーバ）ＣＳにアクセスするための接続情報（リンク情報）ｈｒを含ませている。なお、設定データファイルｓｆの形式は、ＨＴＭＬに限らず、接続情報ｈｒに基づきＷｅｂサイトＣＳにアクセスできる形式であれば、どのような形式でもよい。
【００３６】
また、設定データファイルｓｆ中に書き出されると好ましくない情報がある場合、その部分（或いは全体）を暗号化するか、或いは、インフォメーションセンターＣＴにおいて当該情報を使わないようであれば、図３に「＊＊＊＊＊」で示すように、伏字（＊）として書き出すのが好ましい。このような情報には、例えば、無線ＬＡＮの設定におけるＳＳＩＤ〔図２（２）：12；ステーションＩＤ〕やＷＥＰ暗号キー〔同：15，16〕等がある。
【００３７】
次いで、設定データファイルｓｆを記録した外部記憶媒体ＭＲがパーソナルコンピュータＰＣの外部記憶媒体駆動装置に挿着されると、設定データ読出し部Ｄは、外部記憶媒体ＭＲの設定データファイルｓｆを読み出し、ＷｅｂブラウザＥは、ファイルｓｆに書き出された設定データをディスプレイに一覧表示する。図４は、図３に例示した設定データファイルｓｆを表示したところを示す画面例である。この例では、設定データファイルｓｆに従って、種々の設定データ（「設定情報１」、「設定情報２」、…）が一覧表示されると共に、リンク情報ｈｒによるハイパーリンク表記ｈｔも表示される。
【００３８】
従って、ユーザは、一覧表示された種々の設定情報により電子音楽装置ＥＭ内の状態を容易に視認することができる。また、ハイパーリンク表記ｈｔをクリックすることにより、ＷｅｂブラウザＥによって、直ちに、ＰＣ通信部Ｇ及び通信ネットワークＣＮを介してインフォメーションセンターＣＴのＷｅｂサイトＣＳにアクセスすることができる。
【００３９】
インフォメーションセンターＣＴのＷｅｂサイトＣＳには、メールフォームｍｆが用意されており、ＷｅｂブラウザＥは、上述のようにＷｅｂサイトＣＳにアクセスしてパーソナルコンピュータＰＣのディスプレイ上にメールフォームｍｆを開き、ユーザ操作に従って必要な情報を入力することができる。
【００４０】
図５は、インフォメーションセンターにアクセスしてメールフォームｍｆを開いたところを示す画面例である。このメールフォームｍｆの画面には、図５に矩形枠で示されるように、電子音楽装置ユーザの名前（必要に応じて更にユーザＩＤ）及び電話、パーソナルコンピュータＰＣのメールアドレス、電子音楽装置ＥＭの症状などの機器の現況説明、等々の必要項目入力欄や、添付ファイル入力欄が設けられており、また、添付ファイル入力欄に対応して「参照」ボタンが設けられ、さらに、メールを送信させるための「送信」ボタンやメールの作成又は送信を取り消すための「キャンセル」ボタン等が設けられる。
【００４１】
ユーザ操作に従って、メールフォームｍｆ中に設けられた各項目入力欄に電子音楽装置ＥＭに関する所要の情報を入力し、「参照」ボタンのクリック操作による添付ファイルの選択機能を利用して、このメールに添付する設定データファイルｓｆを指定し、添付ファイル入力欄に当該ファイルのパス（記憶場所）を記入することにより、設定データファイルｓｆが添付されたメールｍａを作成することができる。
【００４２】
そして、作成されたメールｍａは、ユーザによる「送信」ボタンのクリック操作によってインフォメーションセンターＣＴ宛てに送信され、最終的には、インフォメーション用ＷｅｂサーバＣＳを介してインフォメーションセンターＣＴの電子音楽装置担当者が使用するメール端末ＭＴにおいて、このメールｍａを開き、メールｍａに添付された設定データファイルｓｆの設定データを表示したりプリントアウトすることができる。
【００４３】
この例では、リンク情報ｈｒを含む設定データファイルｓｆを利用するようにしたが、もちろん、設定データのみから成る設定データファイルｓｆをパーソナルコンピュータＰＣに提供し、設定データファイルｓｆが添付されたメールｍａをメーラーＦで作成してインフォメーションセンターＣＴに送信するようにしてもよい。しかしながら、上述のようにリンク情報ｈｒを含む設定データファイルｓｆを利用すると、別途メーラーＦを起動してメールを送らなくてもよく、また、ユーザがインフォメーションセンターＣＴのメールアドレスを調べたりすることなく簡単に設定データファイルｓｆを送ることができる。
【００４４】
〔設定データ処理フロー例〕
図６は、上述した動作例に対応して電子音楽装置で実行される設定データ処理を表わすフローチャートである。この電子音楽装置ＥＭにおいて設定データ処理が開始すると、設定部Ａは、ステップＳ１にて、設定データの入力処理を行い、ユーザ操作に従い各種設定パラメータ等を入力してインターネット接続を含む装置の動作条件を設定し、設定状態を表わすＲＡＭ２上の設定データは第１外部記憶装置４の所定記憶領域に記憶される。
【００４５】
次いで、ステップＳ２に進み、電子音楽装置通信部Ｃを通じて電子音楽装置用ＷｅｂサーバＳＶとの接続テストを実行し、次のステップＳ３で、このテストでサーバＳＶとの接続が確立されたか否かを判定する。そして、電子音楽装置ＥＭがサーバＳＶとの接続が良好に行われたことを確認すると（Ｓ３→ＹＥＳ）、この設定データ処理を終了する。
【００４６】
一方、ステップＳ２の接続テストでサーバＳＶとの接続に失敗して不調に終わったときは（Ｓ３→ＮＯ）、ステップＳ４に進む。ステップＳ４では、接続の不調を表わすエラー情報を設定データとしてＲＡＭ２上に保持し、必要に応じて第１外部記憶装置４の所定記憶領域に記憶すると共に、設定データファイルｓｆの書出しを行うか否かを判定する。この判定は、例えば、ディスプレイ１７を用いてファイルｓｆの書出しと設定データの再入力との何れを行うかをユーザに打診し、これに対するユーザの選択操作に従って行うことができる。
【００４７】
ここで、設定データファイルｓｆの書出しを行わない（設定データを再入力する）と判定したときは（Ｓ４→ＮＯ）、ステップＳ１に戻って、再度、設定データを入力し直して接続テストを行うステップＳ１〜Ｓ３の処理を繰り返す。一方、ファイルｓｆの書出しを行うと判定したときには（Ｓ４→ＹＥＳ）、ステップＳ５に進み、外部記憶媒体ＭＲが第２外部記憶装置５に装着されているか否かを判定する。
【００４８】
ここで、外部記憶媒体ＭＲが装着されていないと判定したときは（Ｓ５→ＮＯ）、ステップＳ６で、外部記憶媒体ＭＲを装着すべき旨を、例えば、ディスプレイ１７への表示により、ユーザに警告して外部記憶媒体ＭＲの装着を待機し、ステップＳ５に戻って、再度、外部記憶媒体の装着を判定する。
【００４９】
そして、ステップＳ５において、第２外部記憶装置５に外部記憶媒体ＭＲが装着されていると判定すると（Ｓ５→ＹＥＳ）、ステップＳ７に進み、設定データ書出し部Ｂにより、設定された接続状態や接続テストで得られたエラー状態を表わす設定データを第１外部記憶装置４から設定データファイルｓｆに書き出し、装着された外部記憶媒体ＭＲに設定データファイルｓｆを記録する。そして、この設定データ処理を終了する。
【００５０】
〔種々の実施態様〕
以上、図面を参照しつつ、この発明の好適な実施の形態について詳述したが、これは単なる一例であって、この発明の精神を逸脱しない範囲で種々の変更が可能である。例えば、設定データファイルに書き出す設定データについては、実施例では、主として、インターネット接続に関する設定データについて説明したが、インターネット接続に関する設定データに限らず、電子音楽装置に関する設定データであればどのような種類の設定データであってもよい。
【００５１】
設定データファイルには、電子音楽装置の設定データに代えて、或いは加えて、エラー状態情報（何がエラーになっているか、例えば「ＤＨＣＰサーバが見つからない」、「ＤＨＣＰサーバからＩＰアドレスを取得できない」など）も書き出すようにしてもよい。
【００５２】
パーソナルコンピュータへの設定データファイルの提供については、着脱可能な外部記憶媒体に設定データファイルを書き出す方法に限らず、ＵＳＢ等の通信インターフェースで接続されているパーソナルコンピュータの記憶媒体（外部記憶装置等）に、直接、設定データファイルを書き出すようにしてもよい。
【図面の簡単な説明】
【００５３】
【図１】この発明の一実施例による電子音楽装置のハードウエア構成例を表わすブロック図である。
【図２】この発明の一実施例による設定データ処理システムの概要を説明するための図である。
【図３】この発明の一実施例による設定データファイルの例を表わす図である。
【図４】この発明の一実施例による設定データファイルの表示例を表わす図である。
【図５】この発明の一実施例によるメールフォームの表示例を表わす図である。
【図６】この発明の一実施例による設定データ処理のフローチャート例である。
【符号の説明】
【００５４】
ＥＭ  電子楽器などの電子音楽装置、
ＳＶ  電子音楽装置用サーバコンピュータ、
ＣＴ  インフォメーションセンター、
ｍｆ  メールフォーム、
ｍａ  設定データファイルｓｆが添付されたメール、
ｈｒ，ｈｔ  接続情報（リンク情報）及びハイパーリンク表記。
【図１】
0004779682.tif 000002
【図２】
0004779682.tif 000003
【図３】
0004779682.tif 000004
【図４】
0004779682.tif 000005
【図５】
0004779682.tif 000006
【図６】
0004779682.tif 000007